(57)【要約】【課題】利用者が、会員登録する作業を煩わしく感じる。【解決手段】登録装置は、オブジェクトを識別するオブジェクト識別情報を読み取る読取装置からオブジェクト識別情報を取得するオブジェクト識別情報取得部と、オブジェクト識別情報取得部がオブジェクト識別情報を取得した第１時点に基づいて定められる第１期間内に、読取装置の設置位置を含む無線通信エリアを有する通信装置と無線通信を開始した通信端末の端末識別子を取得する端末識別子取得部と、オブジェクト識別情報に対応付けて、端末識別子を登録する登録部とを備える。【選択図】図１
2014053798.tif 000002
【特許請求の範囲】
【請求項１】
オブジェクトを識別するオブジェクト識別情報を読み取る読取装置から前記オブジェクト識別情報を取得するオブジェクト識別情報取得部と、
前記オブジェクト識別情報取得部が前記オブジェクト識別情報を取得した第１時点に基づいて定められる第１期間内に、前記読取装置の設置位置を含む無線通信エリアを有する通信装置と無線通信を開始した通信端末の端末識別子を取得する端末識別子取得部と、
前記オブジェクト識別情報に対応付けて、前記端末識別子を登録する登録部と
を備える登録装置。
【請求項２】
前記端末識別子取得部は、前記第１期間内に、前記通信装置と無線通信を開始した第１の複数の通信端末の端末識別子を取得し、さらに前記読取装置または他の読取装置から前記オブジェクトを識別する他のオブジェクト識別情報を前記オブジェクト識別情報取得部が取得した第２時点に基づいて定められる第２期間内に、前記通信装置または前記他の読取装置の設置位置を含む他の無線通信エリアを有する他の通信装置と無線通信を開始した第２の複数の通信端末の端末識別子を取得し、
前記登録部は、
前記オブジェクト識別情報および前記他のオブジェクト識別情報のそれぞれに対応付けて、前記第１の複数の通信端末の端末識別子および前記第２の複数の通信端末の端末識別子のそれぞれを仮登録情報保持部に登録する仮登録部と、
前記第１の複数の通信端末の端末識別子のうち、前記第２の複数の通信端末の端末識別子と同一の端末識別子を抽出する抽出部と、
前記抽出部により抽出された同一の端末識別子が１つの場合、当該１つの端末識別子に対応付けて、前記オブジェクト識別情報を本登録情報保持部に登録する本登録部と
を有する、請求項１に記載の登録装置。
【請求項３】
オブジェクトを識別するオブジェクト識別情報を読み取る読取装置から前記オブジェクト識別情報を取得するオブジェクト識別情報取得部と、
前記オブジェクト識別情報取得部が前記オブジェクト識別情報を取得したときに、前記読取装置の設置位置を含む無線通信エリアを有する通信装置と無線通信接続されている第１の複数の通信端末の端末識別子を取得し、さらに前記オブジェクト識別情報取得部が前記読取装置または他の読取装置により読み取られた前記オブジェクトを識別する他のオブジェクト識別情報を取得したときに、前記通信装置または前記他の読取装置の設置位置を含む他の無線通信エリアを有する他の通信装置と無線通信接続されている第２の複数の通信端末の端末識別子を取得する端末識別子取得部と、
前記オブジェクト識別情報および前記他のオブジェクト識別情報のそれぞれに対応付けて、前記第１の複数の通信端末の端末識別子および前記第２の複数の通信端末の端末識別子のそれぞれを仮登録情報保持部に登録する仮登録部と、
前記第１の複数の通信端末の端末識別子のうち、前記第２の複数の通信端末の端末識別子と同一の端末識別子を抽出する抽出部と、
前記抽出部により抽出された同一の端末識別子が１つの場合、当該１つの端末識別子に対応付けて、前記オブジェクト識別情報を本登録情報保持部に登録する本登録部と
を備える登録装置。
【請求項４】
前記仮登録部は、前記抽出部により抽出された同一の端末識別子が複数の場合、前記仮登録情報保持部に登録された前記第１の複数の通信端末の端末識別子のうち、当該複数の同一の端末識別子以外の端末識別子を前記本登録情報保持部への新たな登録候補から抹消する、請求項２または請求項３に記載の登録装置。
【請求項５】
前記仮登録部は、前記オブジェクト識別情報取得部が取得した前記第１の複数の通信端末の端末識別子のうち前記本登録情報保持部にすでに登録されている端末識別子を、前記本登録情報保持部への新たな登録候補から抹消する、請求項２から請求項４のいずれか１つに記載の登録装置。
【請求項６】
前記読取装置は、遊技機、遊技機用台間機、または遊技機用計数機に設けられている請求項１から請求項５のいずれか１つに記載の登録装置。
【請求項７】
前記オブジェクト識別情報取得部は、前記オブジェクト識別情報とともに前記オブジェクト識別情報を読み取った前記読取装置の読取装置識別子を取得し、
前記登録装置は、
前記オブジェクト識別情報に対応付けて登録されている前記端末識別子を用いて、前記読取装置識別子に対応付けられた情報を配信する配信部
をさらに備える請求項１から請求項６のいずれか１つに記載の登録装置。
【請求項８】
請求項１から請求項７のいずれか１つに記載の登録装置として、コンピュータを機能させるためのプログラム。
【発明の詳細な説明】
【技術分野】
【０００１】
本発明は、登録装置およびプログラムに関する。
【背景技術】
【０００２】
特許文献１には、二次元コードをカメラ付き携帯電話などの通信端末を用いて読み取り、読み取った二次元コードに示されるメールアドレス宛に、二次元コードに示される情報を含むメールを送信することで、会員登録するシステムが開示されている。
特許文献１  特開２０１０−６９０１１号公報
【発明の概要】
【発明が解決しようとする課題】
【０００３】
上記のようなシステムにおいて、会員登録するための作業を煩わしく感じる利用者もいる。
【課題を解決するための手段】
【０００４】
本発明の一態様に係る登録装置は、オブジェクトを識別するオブジェクト識別情報を読み取る読取装置からオブジェクト識別情報を取得するオブジェクト識別情報取得部と、オブジェクト識別情報取得部がオブジェクト識別情報を取得した第１時点に基づいて定められる第１期間内に、読取装置の設置位置を含む無線通信エリアを有する通信装置と無線通信を開始した通信端末の端末識別子を取得する端末識別子取得部と、オブジェクト識別情報に対応付けて、端末識別子を登録する登録部とを備える。
【０００５】
上記登録装置において、端末識別子取得部は、第１期間内に、通信装置と無線通信を開始した第１の複数の通信端末の端末識別子を取得し、さらに読取装置または他の読取装置からオブジェクトを識別する他のオブジェクト識別情報をオブジェクト識別情報取得部が取得した第２時点に基づいて定められる第２期間内に、通信装置または他の読取装置の設置位置を含む他の無線通信エリアを有する他の通信装置と無線通信を開始した第２の複数の通信端末の端末識別子を取得し、登録部は、オブジェクト識別情報および他のオブジェクト識別情報のそれぞれに対応付けて、第１の複数の通信端末の端末識別子および第２の複数の通信端末の端末識別子のそれぞれを仮登録情報保持部に登録する仮登録部と、第１の複数の通信端末の端末識別子のうち、第２の複数の通信端末の端末識別子と同一の端末識別子を抽出する抽出部と、抽出部により抽出された同一の端末識別子が１つの場合、当該１つの端末識別子に対応付けて、オブジェクト識別情報を本登録情報保持部に登録する本登録部とを有してもよい。
【０００６】
本発明の一態様に係る登録装置は、オブジェクトを識別するオブジェクト識別情報を読み取る読取装置からオブジェクト識別情報を取得するオブジェクト識別情報取得部と、オブジェクト識別情報取得部がオブジェクト識別情報を取得したときに、読取装置の設置位置を含む無線通信エリアを有する通信装置と無線通信接続されている第１の複数の通信端末の端末識別子を取得し、さらにオブジェクト識別情報取得部が読取装置または他の読取装置により読み取られたオブジェクトを識別する他のオブジェクト識別情報を取得したときに、通信装置または他の読取装置の設置位置を含む他の無線通信エリアを有する他の通信装置と無線通信接続されている第２の複数の通信端末の端末識別子を取得する端末識別子取得部と、オブジェクト識別情報および他のオブジェクト識別情報のそれぞれに対応付けて、第１の複数の通信端末の端末識別子および第２の複数の通信端末の端末識別子のそれぞれを仮登録情報保持部に登録する仮登録部と、第１の複数の通信端末の端末識別子のうち、第２の複数の通信端末の端末識別子と同一の端末識別子を抽出する抽出部と、抽出部により抽出された同一の端末識別子が１つの場合、当該１つの端末識別子に対応付けて、オブジェクト識別情報を本登録情報保持部に登録する本登録部とを備える。
【０００７】
上記登録装置において、仮登録部は、抽出部により抽出された同一の端末識別子が複数の場合、仮登録情報保持部に登録された第１の複数の通信端末の端末識別子のうち、当該複数の同一の端末識別子以外の端末識別子を本登録情報保持部への新たな登録候補から抹消してもよい。
【０００８】
上記登録装置において、仮登録部は、オブジェクト識別情報取得部が取得した第１の複数の通信端末の端末識別子のうち本登録情報保持部にすでに登録されている端末識別子を、本登録情報保持部への新たな登録候補から抹消してもよい。
【０００９】
上記登録装置において、読取装置は、遊技機、遊技機用台間機、または遊技機用計数機に設けられてもよい。
【００１０】
上記登録装置において、オブジェクト識別情報取得部は、オブジェクト識別情報とともにオブジェクト識別情報を読み取った読取装置の読取装置識別子を取得し、登録装置は、オブジェクト識別情報に対応付けて登録されている端末識別子を用いて、読取装置識別子に対応付けられた情報を配信する配信部をさらに備えてもよい。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１】本実施形態に係る会員登録システムの全体構成図である。
【図２】遊技店に設置された複数の通信装置の通信エリアの見取り図である。
【図３】遊技機および台間機の正面図である。
【図４】遊技機および台間機を上から見た概略図である。
【図５】登録装置のブロック図である。
【図６】通信装置接続テーブルの一例を示す図である。
【図７】通信端末接続テーブルの一例を示す図である。
【図８Ａ】仮登録テーブルの一例を示す図である。
【図８Ｂ】仮登録テーブルの一例を示す図である。
【図８Ｃ】仮登録テーブルの一例を示す図である。
【図８Ｄ】仮登録テーブルの一例を示す図である。
【図９】本登録テーブルの一例を示す図である。
【図１０】配信情報テーブルの一例を示す図である。
【図１１】オブジェクト識別情報を取得した場合に登録装置が実行する処理を示すフローチャートである。
【図１２】仮登録テーブルの更新処理を示すフローチャートである。
【図１３】配信処理を示すフローチャートである。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、本実施形態に係る会員登録システムの全体構成図である。会員登録システムは、登録装置１００、読取装置１０、複数の通信装置２０、および複数の通信端末３０を備える。会員登録システムは、例えば、遊技機４０および台間機５０が設置されている遊技店に配置される。
【００１５】
読取装置１０は、オブジェクトを識別するオブジェクト識別情報を読み取る。読取装置１０は、例えば、遊技機４０を操作する遊技者などの会員登録候補であるユーザの特徴情報を読み取る。読取装置１０は、オブジェクト識別情報として遊技者の顔画像を含む画像を撮像する撮像装置でもよい。遊技機４０は、例えば、パチンコ、パチスロである。台間機５０は、例えば、入金額に応じた数の貸球を遊技者に提供する貸球機である。読取装置１０は、例えば、台間機５０に設置される。
【００１６】
通信装置２０は、例えば、アクセスポイントである。通信装置２０は、自身の通信エリア内に存在する通信端末３０と無線通信接続する。通信装置２０は、例えば、無線ＬＡＮで通信端末３０と通信する。通信端末３０は、無線通信機能を有し、自身が属している通信エリアを有する通信装置２０と無線通信接続する。通信端末３０は、例えば、遊技者が所有する携帯電話、多機能携帯電話（スマートフォン）、または携帯情報端末（ＰＤＡ）である。
【００１７】
登録装置１００は、読取装置１０により読み取られた遊技者の顔画像などのオブジェクト識別情報に対応付けて、通信装置２０に無線通信接続された通信端末３０を一意に識別する端末ＩＤを保持する。例えば、遊技者が入店し、遊技機４０の前に座ったときに、登録装置１００は、遊技者の顔画像を取得する。また、登録装置１００は、読取装置１０の設置位置を含む通信エリアを有する通信装置２０と無線通信を開始した遊技者の通信端末３０の端末ＩＤを取得する。次いで、登録装置１００は、顔画像に対応付けて端末ＩＤを登録する。登録装置１００は、顔画像を取得した読取装置１０が設置されたエリアに基づいて特定される配信情報を、取得した顔画像に対応する遊技者の通信端末３０に配信する。登録装置１００は、オブジェクトが存在するエリアとは異なるエリアに関する情報をオブジェクトに関連する通信端末３０に配信してもよい。登録装置１００は、例えば、遊技者がいるエリアとは異なるエリアに設置された新台の入荷情報をその遊技者の通信端末３０に配信する。
【００１８】
図２は、遊技店に設置された複数の通信装置２０の通信エリアの見取り図の一例である。通信装置２０は、複数の読取装置１０の設置位置を含む通信エリアを有してもよい。例えば、通信エリア１内に、４台の読取装置１０（Ｃ００，Ｃ０１，Ｃ０２およびＣ０３）が設置されている。
【００１９】
図３は、遊技機４０および台間機５０の正面図の一例である。台間機５０は、読取装置１０を備える。図４は、遊技機４０および台間機５０を上から見た概略図である。台間機５０に設置された読取装置１０は、遊技機４０の前に座った遊技者の顔画像を撮像する。
【００２０】
図５は、登録装置１００のブロック図である。登録装置１００は、オブジェクト識別情報取得部１０２、端末識別子取得部１０４、管理情報保持部１０６、仮登録部１０８、仮登録情報保持部１１０、抽出部１１２、本登録部１１４、本登録情報保持部１１６、配信部１１８、および配信情報保持部１２０を備える。
【００２１】
オブジェクト識別情報取得部１０２は、読取装置１０からオブジェクト識別情報を取得する。読取装置１０が撮像装置の場合、読取装置１０は、遊技者を含む画像を撮像する。読取装置１０は、撮像された画像の予め定められた領域の画像に含まれる情報と、顔を構成する部位の配置などを定めたパターン情報とをパターンマッチングすることで、第１画像である顔画像を抽出する。読取装置１０は、顔画像をオブジェクト識別情報としてオブジェクト識別情報取得部１０２に提供する。オブジェクト識別情報取得部１０２は、読取装置１０が撮像した遊技者の顔画像を取得する。
【００２２】
端末識別子取得部１０４は、通信装置２０から、通信装置２０を一意に識別する通信装置ＩＤと、通信装置２０に無線通信接続された通信端末３０の端末ＩＤと、通信端末３０が通信装置２０と無線通信を開始した時刻を示す通信開始時刻情報とを取得する。端末識別子取得部１０４は、管理情報保持部１０６が保持する通信端末接続テーブルに、取得した通信装置ＩＤ、端末ＩＤ、および通信開始時刻情報を登録する。
【００２３】
また、端末識別子取得部１０４は、オブジェクト識別情報取得部１０２がオブジェクト識別情報を取得した第１時点に基づいて定められる第１期間内に、読取装置１０の設置位置を含む無線通信エリアを有する通信装置２０と無線通信を開始した通信端末３０の端末ＩＤを本登録情報保持部１１６への登録候補として取得する。端末識別子取得部１０４は、オブジェクト識別情報取得部１０２に遊技者の顔画像を提供した読取装置１０の設置位置を含む無線通信エリアを有する通信装置２０と無線通信を開始した通信端末３０のうち、オブジェクト識別情報取得部１０２が読取装置１０から遊技者の顔画像を取得した時刻と、その読取装置１０の設置位置を含む無線通信エリアを有する通信装置２０と無線通信を開始した時刻との差が予め定められた範囲内、例えば±１０秒以内の通信端末３０の端末ＩＤを取得する。
【００２４】
端末識別子取得部１０４は、オブジェクト識別情報取得部１０２が読取装置１０から遊技者の顔画像を取得した時刻から、予め定められた時間経過後の予め定められた期間に通信装置２０と無線通信を開始した端末ＩＤを本登録情報保持部１１６への登録候補として取得してもよい。また、端末識別子取得部１０４は、オブジェクト識別情報取得部１０２が読取装置１０から遊技者の顔画像を取得した時刻より、予め定められた時間前の予め定められた期間に通信装置２０と無線通信を開始した端末ＩＤを本登録情報保持部１１６への登録候補として取得してもよい。
【００２５】
例えば、端末識別子取得部１０４は、第１期間内に、通信装置２０と無線通信を開始した第１の複数の通信端末の端末ＩＤを取得する。また、端末識別子取得部１０４は、第１時点で顔画像を提供した読取装置１０または他の読取装置１０からオブジェクトを識別する他のオブジェクト識別情報である他の顔画像をオブジェクト識別情報取得部１０２が取得した第２時点に基づいて定められる第２期間内に、通信装置２０または他の読取装置１０の設置位置を含む他の無線通信エリアを有する他の通信装置２０と無線通信を開始した第２の複数の通信端末の端末ＩＤを取得する。
【００２６】
仮登録部１０８は、オブジェクト識別情報および他のオブジェクト識別情報のそれぞれに対応付けて、第１の複数の通信端末の端末ＩＤおよび第２の複数の通信端末の端末ＩＤのそれぞれを仮登録情報保持部１１０に登録する。仮登録部１０８は、本登録情報保持部１１６への登録候補である複数の端末ＩＤに対応付けて、オブジェクト識別情報である顔画像を仮登録情報保持部１１０が保持する仮登録テーブルに登録する。仮登録部１０８は、オブジェクト識別情報取得部１０２が取得した第１の複数の通信端末の端末ＩＤのうち本登録情報保持部１１６にすでに登録されている端末ＩＤを、本登録情報保持部１１６への新たな登録候補から抹消する。仮登録部１０８は、例えば、オブジェクト識別情報取得部１０２が取得した第１の複数の通信端末の端末ＩＤのうち本登録情報保持部１１６にすでに登録されている端末ＩＤを破棄する。
【００２７】
抽出部１１２は、第１の複数の通信端末の端末ＩＤのうち、第２の複数の通信端末の端末ＩＤと同一の端末ＩＤを抽出する。例えば、抽出部１１２は、オブジェクト識別情報取得部１０２が取得した顔画像と同一のオブジェクトを示す顔画像が登録された前回の仮登録テーブルを仮登録情報保持部１１０から取得する。そして、抽出部１１２は、今回の仮登録テーブルに登録されている複数の端末ＩＤのうち、前回の仮登録テーブルに登録されている端末ＩＤと同一の端末ＩＤを抽出する。
【００２８】
抽出部１１２により抽出された同一の端末ＩＤが１つの場合、本登録部１１４が、当該１つの端末ＩＤに対応付けて、オブジェクト識別情報を本登録情報保持部１１６が保持する本登録テーブルに登録する。一方、抽出部１１２により抽出された同一の端末ＩＤが複数の場合、仮登録部１０８が、仮登録情報保持部１１０の仮登録テーブルに登録された第１の複数の通信端末の端末ＩＤのうち、当該複数の同一の端末ＩＤ以外の端末ＩＤを本登録情報保持部１１６への新たな登録候補から抹消する。
【００２９】
本実施形態によれば、オブジェクト識別情報取得部１０２がオブジェクト識別情報を取得する毎に、取得したオブジェクト識別情報に対応する仮登録テーブルを更新する。そして、仮登録テーブルに本登録情報保持部１１６への登録候補として登録されている端末ＩＤが１つとなった場合に、本登録部１１４が、オブジェクト識別情報に対応付けて、当該１つの端末ＩＤを本登録情報保持部１１６に登録する。
【００３０】
上記のように、以前に登録された仮登録テーブルと今回登録された仮登録テーブルとの比較により、登録候補の端末ＩＤを絞りこむ。これにより、オブジェクト識別情報取得部１０２がオブジェクト識別情報を取得した時点に基づいて定まる期間内に、複数の通信端末３０が通信装置２０と無線通信を開始した場合でも、取得したオブジェクト識別情報に対応する通信端末３０を絞り込むことができる。
【００３１】
管理情報保持部１０６は、登録装置１００がオブジェクト識別情報に対応付けて端末ＩＤを登録する場合に参照される各種テーブルを保持している。配信部１１８は、オブジェクト識別情報に対応付けて登録されている通信端末３０の端末ＩＤを用いて、読取装置ＩＤに対応付けられた情報を配信する。配信情報保持部１２０は、読取装置１０が設置されるエリアに対応付けて配信内容を保持する。配信情報保持部１２０は、読取装置１０が設置されるエリアに配置される遊技機４０の種類に対応付けて、配信内容を保持してもよい。
【００３２】
読取装置１０は、例えば、台間機５０に設けられている。よって、配信部１１８は、顔画像とともに読取装置１０から提供される読取装置ＩＤに基づいて、顔画像により特定される遊技者がどのような種類の遊技機４０の近くにいるかを特定できる。したがって、配信部１１８は、読取装置ＩＤに基づいて遊技者の近くにある遊技機４０の種類を特定する。配信部１１８は、配信情報保持部１２０を参照して、特定された遊技機４０の種類に基づいて配信内容を特定する。配信部１１８は、特定された種類に応じた配信内容を示す情報を配信してもよい。配信部１１８は、遊技者の近くにある遊技機４０とは異なるエリアに設置されている遊技機４０の種類に対応する配信内容を示す情報を配信してもよい。これにより、遊技者は、他のエリアに設置されている遊技機４０に関する情報を知ることができる。
【００３３】
図６は、管理情報保持部１０６が保持する通信装置接続テーブルの一例である。通信装置接続テーブルは、通信エリアフィールド、通信装置ＩＤフィールド、読取装置ＩＤフィールド、および種類フィールドを有する。通信エリアフィールドには、通信装置２０が通信可能な通信エリアが示される。通信装置ＩＤフィールドには、通信装置２０を識別する通信装置ＩＤが示される。読取装置ＩＤフィールドには、通信エリアに設置されている読取装置を識別する読取装置ＩＤが示される。種類フィールドには、通信エリアに設置されている遊技機４０の種類が示される。
【００３４】
図７は、管理情報保持部１０６が保持する通信端末接続テーブルの一例である。通信端末接続テーブルは、通信開始時刻フィールド、通信装置ＩＤフィールド、および端末ＩＤフィールドを有する。通信開始時刻フィールドには、通信端末３０が通信装置２０と無線通信を開始した時刻が示される。通信装置ＩＤフィールドには、通信端末３０が無線通信を開始した通信装置２０の通信装置ＩＤが示される。端末ＩＤフィールドには、通信装置２０に無線通信を開始した通信端末３０の端末ＩＤが示される。端末識別子取得部１０４は、通信装置２０と無線通信を開始した通信端末３０の端末ＩＤ、その通信装置２０の通信装置ＩＤおよび無線通信を開始した時刻を示す通信開始時刻情報をその通信装置２０から取得し、通信端末接続テーブルを順次更新する。
【００３５】
図８Ａ、図８Ｂ、図８Ｃおよび図８Ｄは、管理情報保持部１０６が保持する仮登録テーブルの一例を示す。仮登録テーブルは、端末ＩＤフィールド、顔画像フィールド、および仮登録時刻フィールドを有する。端末ＩＤフィールドには、本登録情報保持部１１６への登録候補である遊技者の通信端末３０の端末ＩＤが示される。顔画像フィールドには、登録候補である顔画像が示される。仮登録時刻フィールドには、仮登録テーブルが仮登録情報保持部１１０に登録された時刻として、オブジェクト識別情報取得部１０２が顔画像を取得した時刻が示される。仮登録部１０８は、例えば、顔画像が取得される毎に、仮登録テーブルを更新する。
【００３６】
図９は、管理情報保持部１０６が保持する本登録テーブルの一例を示す。本登録テーブルは、会員ＩＤフィールド、顔画像フィールド、および端末ＩＤフィールドを有する。会員ＩＤフィールドには、会員登録されている遊技者の会員ＩＤが示される。顔画像フィールドには、会員登録されている遊技者の顔画像が示される。端末ＩＤフィールドには、会員登録されている遊技者の通信端末３０の端末ＩＤが示される。本登録部１１４は、仮登録テーブルに示される通信端末３０の端末ＩＤのうち登録候補の端末ＩＤが１つに絞られる毎に、本登録テーブルを更新する。
【００３７】
図１０は、配信情報保持部１２０が保持する配信情報テーブルの一例を示す。配信情報テーブルは、種類フィールド、配信内容フィールドを有する。種類フィールドには、配信情報の対象となる遊技機４０の種類が示される。配信内容フィールドには、種類に応じた配信内容が示される。なお、種類に応じた配信内容とは、特定された種類に関する内容の他、特定された種類以外の他の種類に関する内容も含む。
【００３８】
図１１は、読取装置１０からオブジェクト識別情報として顔画像を取得した場合に登録装置が実行する処理を示すフローチャートである。オブジェクト識別情報取得部１０２は、読取装置１０から顔画像を取得すると（Ｓ１００）、本登録情報保持部１１６が保持する本登録テーブルを参照して、取得した顔画像と同一のオブジェクトを示す顔画像がすでに本登録テーブルに登録されているか否かを判断する（Ｓ１０２）。同一のオブジェクトを示す顔画像が本登録テーブルに登録されている場合には、配信部１１８が配信処理を実行する（Ｓ１１４）。
【００３９】
一方、同一のオブジェクトを示す顔画像が本登録テーブルに登録されていない場合には、端末識別子取得部１０４は、通信装置接続テーブルを参照して、遊技者の顔画像を取得した読取装置１０の設置位置を含む無線通信エリアを有する通信端末３０の通信装置ＩＤを特定する。さらに、端末識別子取得部１０４は、通信端末接続テーブルを参照して、特定された通信装置ＩＤに対応付けられている端末ＩＤおよび通信開始時刻を特定する。そして、端末識別子取得部１０４は、遊技者の顔画像を取得した時刻と、オブジェクト識別情報取得部１０２に遊技者の顔画像を提供した読取装置１０の設置位置を含む無線通信エリアを有する通信装置２０と無線通信を開始した通信端末３０の通信開始時刻とを照合する（Ｓ１０４）。
【００４０】
照合の結果、顔画像を取得した時刻と無線通信を開始した時刻との差が±１０秒以内である登録候補となる通信端末３０の端末ＩＤがない場合、処理を終了する。登録候補となる端末ＩＤが存在する場合、仮登録部１０８は、登録候補となる端末ＩＤが１つかどうかを判定する（Ｓ１０８）。
【００４１】
登録候補となる端末ＩＤが１つ存在する場合、本登録部１１４が、当該１つの端末ＩＤに対応付けて、新たな会員ＩＤと取得した顔画像とを本登録テーブルに登録する（Ｓ１１０）。さらに、配信部１１８は、新たに登録された会員に対して配信処理を実行する（Ｓ１１４）。一方、登録候補となる端末ＩＤが複数存在する場合、仮登録部１０８は、仮登録テーブルの更新処理を実行する（Ｓ１１６）。
【００４２】
図１２は、仮登録テーブルの更新処理を示すフローチャートである。まず、仮登録部１０８は、例えば、図８Ａに示すような複数の端末ＩＤと顔画像と仮登録時刻とを対応付けた新たな仮登録テーブルを生成する。さらに、仮登録部１０８は、仮登録情報保持部１１０にすでに登録されている仮登録テーブルのうち、取得した顔画像と同一のオブジェクトを示す顔画像が対応付けられた仮登録テーブルを検索する（Ｓ２０２）。
【００４３】
検索できなければ（Ｓ２０４）、作成した新たな仮登録テーブルを仮登録情報保持部１１０に登録することで、仮登録テーブルを更新する（Ｓ２０６）。一方、検索できた場合（Ｓ２０４）、抽出部１１２が、新たな仮登録テーブルの端末ＩＤと、登録済の仮登録テーブルの端末ＩＤとを比較する（Ｓ２０８）。例えば、図８Ａに示す仮登録テーブルに登録された顔画像が示すオブジェクトと同一のオブジェクトを示す顔画像が登録された図８Ｂに示す仮登録テーブルが検索できた場合、抽出部１１２は、図８Ａおよび図８Ｂに示す仮登録テーブル同士を比較する。
【００４４】
ここで、図８Ａに示す仮登録テーブルおよび図８Ｂに示す仮登録テーブルには、それぞれ異なる場所に設置された読取装置１０により異なる時点で読み取られた顔画像が登録されていてもよい。遊技者は、遊技店に入店後、異なる遊技機４０を操作するために、遊技店内を移動することがある。したがって、異なる場所に設置されたそれぞれの読取装置１０が同一の遊技者の顔画像を異なる時点で読み取ることがある。この場合、仮登録部１０８は、異なる読取装置１０により異なる時点で読み取られたそれぞれの顔画像の仮登録テーブルを仮登録情報保持部１１０に登録することがある。
【００４５】
比較の結果、抽出部１１２が同一の端末ＩＤを抽出できたか否かを仮登録部１０８が判断する（Ｓ２１０）。同一の端末ＩＤがなければ、処理を終了する。一方、同一の端末ＩＤが抽出できた場合、仮登録部１０８は、同一の端末ＩＤが複数か否かを判断する（Ｓ２１２）。
【００４６】
同一の端末ＩＤが複数の場合、仮登録部１０８は、同一の端末ＩＤのみを含む新たな仮登録テーブルを仮登録情報保持部１１０に登録する（Ｓ２１４）。ここで、仮登録部１０８は、すでに登録されていた仮登録テーブルを削除してもよい。例えば、図８Ａおよび図８Ｂに示す仮登録テーブル同士を比較の結果、仮登録部１０８は、図８Ｃに示す新たな仮登録テーブルを生成して、仮登録情報保持部１１０に登録するとともに、すでに登録されていた図８Ｂに示す仮登録テーブルを仮登録情報保持部１１０から削除する。
【００４７】
一方、同一の端末ＩＤが１つの場合、本登録部１１４が、当該１つの端末ＩＤと、顔画像とを対応付けて、新たな会員ＩＤとともに本登録テーブルに登録する（Ｓ２１６）。例えば、ステップＳ２００で生成された仮登録テーブルが図８Ｄに示す仮登録テーブルであり、すでに登録されている仮登録テーブルが図８Ｃに示す仮登録テーブルの場合、同一の端末ＩＤは１つなので、本登録部１１４は、図９に示すように、当該１つの端末ＩＤ（ＡＵ０００３１）と、顔画像とを対応付けて、新たな会員ＩＤ（Ｐ０００００１）とともに本登録テーブルに登録する。次いで、配信部１１８は、新たに登録された会員に対して配信処理を実行する（Ｓ２１８）。
【００４８】
図１３は、配信部１１８による配信処理を示すフローチャートである。配信部１１８は、顔画像を取得した読取装置１０の読取装置ＩＤと、配信対象となる通信端末３０の端末ＩＤとを取得する（Ｓ３００）。取得した顔画像が本登録テーブルに登録されている場合、または取得した顔画像を新たに本登録テーブルに登録した場合、配信部１１８は、顔画像を取得した読取装置１０の読取装置ＩＤと、配信対象となる通信端末３０の端末ＩＤとを取得する。配信部１１８は、通信装置接続テーブルを参照して、取得した読取装置ＩＤに対応付けられた遊技機４０の種類を特定する。さらに、配信部１１８は、配信情報テーブルを参照して、特定された遊技機４０の種類に応じた配信内容を特定する（Ｓ３０２）。
【００４９】
配信部１１８は、特定された配信内容を示す配信情報を端末ＩＤに対応する会員ＩＤの遊技者にすでに配信済みか否かを判定する（Ｓ３０４）。ここで、管理情報保持部１０６は、会員ＩＤに対応付けて配信内容と配信内容を送付したか否かを示す情報とを有する配信情報テーブルを保持していてもよい。そして、配信部１１８は、配信情報テーブルを参照することで、特定された配信内容を示す配信情報をすでに配信対象の遊技者に配信したか否かを判定してもよい。配信していない場合には、配信部１１８は、端末ＩＤを用いて配信情報を配信する（Ｓ３０６）。なお、通信端末３０は、自己の端末ＩＤが示された配信情報を受信した場合に配信情報に示された内容を自動的に画面に表示させる機能を有してもよい。配信部１１８は、いわゆるプッシュ型情報配信機能を利用して、通信端末３０に配信情報を送信してもよい。
【００５０】
以上のように、配信部１１８は、読取装置ＩＤに基づいて特定される遊技者が存在するエリアに配置された遊技機４０の種類に応じた配信情報を、遊技者に配信できる。
【００５１】
本実施形態によれば、遊技者が遊技店に入店し、読取装置１０が設置された台間機５０に隣接する遊技機４０の前に座ったときに、遊技者の顔画像と、遊技者が所有する通信端末３０とを自動的に対応付けることができる。つまり、遊技者が読取装置１０の近傍にいるだけで、遊技者の顔画像と、遊技者が所有する通信端末３０とを自動的に対応付けることができる。よって、遊技者が会員登録する作業の煩わしさを低減できる。そして、会員登録することで、遊技者が所有する通信端末３０に、遊技者に応じた配信情報の配信サービスを受けることができる。
【００５２】
なお、上記の実施形態において、端末識別子取得部１０４は、オブジェクト識別情報が取得された時点に基づいて定められる期間内に、オブジェクト識別情報を取得した読取装置１０に対応する通信装置２０と無線通信を開始した通信端末３０の端末ＩＤを本登録テーブルへの登録候補として取得する例について説明した。しかし、端末識別子取得部１０４は、オブジェクト識別情報取得部１０２がオブジェクト識別情報を取得したときに、オブジェクト識別情報を読み取った読取装置１０の設置位置を含む無線通信エリアを有する通信装置と無線通信接続されている通信装置２０の端末ＩＤを本登録テーブルへの登録候補として取得してもよい。
【００５３】
端末識別子取得部１０４は、オブジェクト識別情報取得部１０２がオブジェクト識別情報を取得したときに、当該オブジェクト識別情報を読み取った読取装置の設置位置を含む無線通信エリアを有する通信装置と無線通信接続されている第１の複数の通信端末の端末ＩＤを登録候補の端末ＩＤとして取得してもよい。さらに、端末識別子取得部１０４は、オブジェクト識別情報取得部１０２が読取装置または他の読取装置により読み取られたオブジェクトを識別する他のオブジェクト識別情報を取得したときに、通信装置２０または他の読取装置１０の設置位置を含む他の無線通信エリアを有する他の通信装置２０と無線通信接続されている第２の複数の通信端末の端末ＩＤを登録候補の端末ＩＤとして取得してもよい。
【００５４】
なお、オブジェクト識別情報取得部１０２がオブジェクト識別情報を取得したときとは、オブジェクト識別情報取得部１０２がオブジェクト識別情報を取得した時刻と同一の時刻の他、当該時刻を基準とした予め定められた期間、例えば当該時刻の前後数秒間、または前後数分間を含む。
【００５５】
また、上記の実施形態において、読取装置１０は、撮像装置であり、撮像装置が遊技者の画像をオブジェクト識別情報として撮像する例について説明した。しかし、読取装置１０は、会員カードなどの媒体に記録または印字されることで媒体に予め示されている遊技者の会員ＩＤ、年齢、性別などのオブジェクト識別情報を読み取ってもよい。また、読取装置１０は、遊技機、または遊技機用計数機に設けられてもよい。
【００５６】
さらに、本実施形態に係る登録装置１００が備える各部は、登録および配信に関する各種処理を行うプログラムをインストールし、このプログラムをコンピュータに実行させることで、構成してもよい。つまり、コンピュータに登録および配信に関する各種処理を行うプログラムを実行させることにより、登録装置１００が備える各部としてコンピュータを機能させることで、登録装置１００を構成してもよい。
【００５７】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、登録装置１００として機能する。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６０】
１０  読取装置
２０  通信装置
３０  通信端末
４０  遊技機
５０  台間機
１００  登録装置
１０２  オブジェクト識別情報取得部
１０４  端末識別子取得部
１０６  管理情報保持部
１０８  仮登録部
１１０  仮登録情報保持部
１１２  抽出部
１１４  本登録部
１１６  本登録情報保持部
１１８  配信部
１２０  配信情報保持部
【図１】
2014053798.tif 000003
【図２】
2014053798.tif 000004
【図３】
2014053798.tif 000005
【図４】
2014053798.tif 000006
【図５】
2014053798.tif 000007
【図６】
2014053798.tif 000008
【図７】
2014053798.tif 000009
【図８Ａ】
2014053798.tif 000010
【図８Ｂ】
2014053798.tif 000011
【図８Ｃ】
2014053798.tif 000012
【図８Ｄ】
2014053798.tif 000013
【図９】
2014053798.tif 000014
【図１０】
2014053798.tif 000015
【図１１】
2014053798.tif 000016
【図１２】
2014053798.tif 000017
【図１３】
2014053798.tif 000018